(57)【要約】【課題】筒状フィルムの周長に応じて、開閉杆の開閉量を調整することができると共に、開いたときの開閉杆を常時平行状態に保つことができるマンドレルを備えたフィルム開口整形ユニットを提供する。【解決手段】マンドレル４３は、ベース部材４１と、４本の開閉杆４５と、開閉杆４５を開閉可能に支持する、ベース部材４１に取り付けられた開閉機構部４６と、開閉杆４５を閉方向に付勢する付勢手段４７と、開閉杆４５を開閉させる開閉手段４８と、開閉手段４８による開閉杆４５の最大開き量を調整する開き量調整手段４９とを備えている。開閉機構部４６は、ベース部材４４の中心から放射状に配置された複数の平行リンク機構を有しており、開き量調整手段４９は、開状態における平行リンク機構を変形させることで、開閉杆４５の最大開き量を調整するようになっていると共に、開いたときに平行状態になるように、開閉杆４５が平行リンク機構に取り付けられている。【選択図】        図７
2011006110.tif 000002
【特許請求の範囲】
【請求項１】
筒状フィルムを被嵌体に被嵌する際、前記筒状フィルムを所定の開口形状に整形するマンドレルを備えたフィルム開口整形ユニットであって、
前記マンドレルは、
ベース部材と、
前記筒状フィルムに挿入される複数の開閉杆と、
複数の前記開閉杆を開閉可能に支持する、前記ベース部材に取り付けられた開閉機構部と、
複数の前記開閉杆を閉方向に付勢する付勢手段と、
前記開閉機構部に支持された前記開閉杆を開閉させる開閉手段と、
前記開閉手段による前記開閉杆の最大開き量を調整する開き量調整手段と
を備え、
前記開閉機構部は、
前記ベース部材の中心から放射状に配置された複数の平行リンク機構を有し、
それぞれの前記平行リンク機構は、上端部同士が相互に前記ベース部材に軸支された上部内側リンク及び上部外側リンクと、下端部同士が相互に軸支された状態で、上端部が前記上部内側リンクの下端部に軸支された下部内側リンク及び上端部が前記上部外側リンクの下端部に軸支された下部外側リンクとを有し、
前記ベース部材の中心側に位置している前記上部内側リンク及び前記下部内側リンクの結合部にはカムフォロアが取り付けられており、
前記開閉手段は、外周面に前記カムフォロアが当接する外径の異なるカム面を有する操作軸を前記ベース部材に対して相対的に昇降させて、前記カムフォロアが取り付けられている前記上部内側リンク及び前記下部内側リンクの結合部の位置を前記開閉杆の開閉方向に移動させることによって、前記平行リンク機構を変形させることで、前記開閉杆を開閉させるようになっており、
複数の前記開閉杆は、開状態で相互に平行になるように、前記平行リンク機構の前記下部外側リンクに取り付けられており、
前記開き量調整手段は、開状態における前記平行リンク機構を変形させることで、前記開閉杆の最大開き量を調整するようになっていることを特徴とするフィルム開口整形ユニット。
【請求項２】
前記開き量調整手段は、前記開閉杆が開状態のときの前記平行リンク機構を無段階に変形させることができるようになっている請求項１に記載のフィルム開口整形ユニット。
【請求項３】
前記開き量調整手段は、前記開閉杆が開状態のときだけ、前記平行リンク機構を変形させることができるようになっている請求項１または２に記載のフィルム開口整形ユニット。
【請求項４】
筒状フィルムを被嵌体に被嵌する際、前記筒状フィルムを所定の開口形状に整形するマンドレルを備えたフィルム開口整形ユニットであって、
前記マンドレルは、
ベース部材と、
前記筒状フィルムに挿入される複数の開閉杆と、
複数の前記開閉杆を開閉可能に支持する、前記ベース部材に取り付けられた開閉機構部と、
複数の前記開閉杆を閉方向に付勢する付勢手段と、
前記開閉機構部に支持された前記開閉杆を開閉させる開閉手段と
を備え、
前記開閉機構部は、
前記ベース部材の中心から放射状に配置された複数の平行リンク機構を有し、
それぞれの前記平行リンク機構は、上端部同士が相互に前記ベース部材に軸支された上部内側リンク及び上部外側リンクと、下端部同士が相互に軸支された状態で、上端部が前記上部内側リンクの下端部に軸支された下部内側リンク及び上端部が前記上部外側リンクの下端部に軸支された下部外側リンクとを有し、
前記ベース部材の中心側に位置している前記上部内側リンク及び前記下部内側リンクの結合部は前記開閉杆の開閉方向に位置決めされると共に、複数の前記開閉杆は、相互に平行になるように、前記平行リンク機構の前記下部外側リンクに取り付けられており、
前記開閉手段は、前記上部内側リンク及び前記下部内側リンクの結合部を位置決めした状態で、前記平行リンク機構を変形させることで、前記開閉杆を開閉させるようになっていることを特徴とするフィルム開口整形ユニット。
【発明の詳細な説明】
【技術分野】
【０００１】
この発明は、例えば、ボトル等の被嵌体にシュリンクラベル等の筒状フィルムを被嵌するフィルム被嵌装置等に搭載されるフィルム開口整形ユニットに関する。
【背景技術】
【０００２】
例えば、シュリンクフィルムによって形成された筒状のラベルをＰＥＴボトルの胴部に被嵌するラベル被嵌装置としては、シート状に折り畳まれた状態のラベル及びＰＥＴボトルを受け取って、そのラベルを開口しながらＰＥＴボトルに被嵌する複数のラベル被嵌ヘッドを有するロータリ型のラベル被嵌装置があり、各ラベル被嵌ヘッドには、筒状に開口したラベルをＰＥＴボトルの胴部に被嵌可能な所定の開口形状に整形する、４本の開閉杆を有するマンドレルを備えたラベル開口整形ユニットが搭載されている。
【０００３】
こういったラベル開口整形ユニットに搭載されるマンドレルは、図１１に示すように、開閉杆７１に取り付けたカムフォロア７２が当接する外径の異なるカム面を外周面に有する操作軸７３を、マンドレル７０が取り付けられている支持部材８０に対して相対的に昇降させることで、開閉杆７１が開閉するようになっており、閉じた状態の開閉杆７１をラベルオープナによって予備的に開口したラベルＬに挿入し、開閉杆７１を開くことで、所定の開口形状に整形した後、キャリアプレートでラベルＬを押し下げることによって、所定の開口形状に整形されたラベルＬを、開閉杆７１の下向側で待機しているＰＥＴボトルの胴部に被嵌することになる。
【０００４】
また、こういったマンドレル７０は、図１１に示すように、折径が異なるラベルＬに変更された場合であっても、ラベルＬの折径がある程度の範囲内である限り、マンドレル７０を交換する必要がないように、ラベルＬの周長に応じて、ラベルＬを最も開いたときの操作軸のカム面に対するカムフォロア７２の当接位置を変えることができるように、支持部材８０に対する取付高さを調整することができるようになっている。
【先行技術文献】
【特許文献】
【０００５】
【特許文献１】特開２００８−０５００１８号公報
【発明の概要】
【発明が解決しようとする課題】
【０００６】
しかしながら、上述したようなマンドレル７０の場合、例えば、図１１（ｂ）に示すように、所定の周長（折径）を有する基準のラベルＬを整形する際に、開いた開閉杆７１が平行状態となるように設定すると、基準のラベルＬより周長（折径）が大きいラベルＬの場合は、同図（ａ）に示すように、開いた開閉杆７１が先開きの状態となり、逆に、基準のラベルＬより周長（折径）が小さいラベルＬの場合は、同図（ｃ）に示すように、開いた開閉杆７１が先閉じの状態になるので、基準のラベルＬより周長（折径）が大きいラベルＬの場合は、キャリアプレートでラベルＬを押し下げる際、開閉杆７１からラベルＬが抜けにくいといった問題があり、基準のラベルＬより周長（折径）が小さいラベルＬの場合は、開いた開閉杆７１からラベルＬが脱落しやすいといった問題がある。
【０００７】
そこで、この発明の課題は、筒状フィルムの周長に応じて、開閉杆の開閉量を調整することができ、しかも、開閉杆の開閉量に拘わらず、開いたときの開閉杆を常時平行状態に保つことができるマンドレルを備えたフィルム開口整形ユニットを提供することにある。
【課題を解決するための手段】
【０００８】
上記の課題を解決するため、請求項１に係る発明は、筒状フィルムを被嵌体に被嵌する際、前記筒状フィルムを所定の開口形状に整形するマンドレルを備えたフィルム開口整形ユニットであって、前記マンドレルは、ベース部材と、前記筒状フィルムに挿入される複数の開閉杆と、複数の前記開閉杆を開閉可能に支持する、前記ベース部材に取り付けられた開閉機構部と、複数の前記開閉杆を閉方向に付勢する付勢手段と、前記開閉機構部に支持された前記開閉杆を開閉させる開閉手段と、前記開閉手段による前記開閉杆の最大開き量を調整する開き量調整手段とを備え、前記開閉機構部は、前記ベース部材の中心から放射状に配置された複数の平行リンク機構を有し、それぞれの前記平行リンク機構は、上端部同士が相互に前記ベース部材に軸支された上部内側リンク及び上部外側リンクと、下端部同士が相互に軸支された状態で、上端部が前記上部内側リンクの下端部に軸支された下部内側リンク及び上端部が前記上部外側リンクの下端部に軸支された下部外側リンクとを有し、前記ベース部材の中心側に位置している前記上部内側リンク及び前記下部内側リンクの結合部にはカムフォロアが取り付けられており、前記開閉手段は、外周面に前記カムフォロアが当接する外径の異なるカム面を有する操作軸を前記ベース部材に対して相対的に昇降させて、前記カムフォロアが取り付けられている前記上部内側リンク及び前記下部内側リンクの結合部の位置を前記開閉杆の開閉方向に移動させることによって、前記平行リンク機構を変形させることで、前記開閉杆を開閉させるようになっており、複数の前記開閉杆は、開状態で相互に平行になるように、前記平行リンク機構の前記下部外側リンクに取り付けられており、前記開き量調整手段は、開状態における前記平行リンク機構を変形させることで、前記開閉杆の最大開き量を調整するようになっていることを特徴とするフィルム開口整形ユニットを提供するものである。
【０００９】
請求項２に係る発明は、請求項１に係る発明のフィルム開口整形ユニットにおいて、前記開き量調整手段が、前記開閉杆が開状態のときの前記平行リンク機構を無段階に変形させることができるようになっていることを特徴としている。
【００１０】
請求項３に係る発明は、請求項１または２に係る発明のフィルム開口整形ユニットにおいて、前記開き量調整手段が、前記開閉杆が開状態のときだけ、前記平行リンク機構を変形させることができるようになっていることを特徴としている。
【００１１】
また、上記の課題を解決するため、請求項４に係る発明は、筒状フィルムを被嵌体に被嵌する際、前記筒状フィルムを所定の開口形状に整形するマンドレルを備えたフィルム開口整形ユニットであって、前記マンドレルは、ベース部材と、前記筒状フィルムに挿入される複数の開閉杆と、複数の前記開閉杆を開閉可能に支持する、前記ベース部材に取り付けられた開閉機構部と、複数の前記開閉杆を閉方向に付勢する付勢手段と、前記開閉機構部に支持された前記開閉杆を開閉させる開閉手段とを備え、前記開閉機構部は、前記ベース部材の中心から放射状に配置された複数の平行リンク機構を有し、それぞれの前記平行リンク機構は、上端部同士が相互に前記ベース部材に軸支された上部内側リンク及び上部外側リンクと、下端部同士が相互に軸支された状態で、上端部が前記上部内側リンクの下端部に軸支された下部内側リンク及び上端部が前記上部外側リンクの下端部に軸支された下部外側リンクとを有し、前記ベース部材の中心側に位置している前記上部内側リンク及び前記下部内側リンクの結合部は前記開閉杆の開閉方向に位置決めされると共に、複数の前記開閉杆は、相互に平行になるように、前記平行リンク機構の前記下部外側リンクに取り付けられており、前記開閉手段は、前記上部内側リンク及び前記下部内側リンクの結合部を位置決めした状態で、前記平行リンク機構を変形させることで、前記開閉杆を開閉させるようになっていることを特徴とするフィルム開口整形ユニットを提供するものである。
【発明の効果】
【００１２】
以上のように、請求項１に係る発明のフィルム開口整形ユニットは、開状態で相互に平行になるように、複数の開閉杆が平行リンク機構の下部外側リンクに取り付けられており、しかも、開閉杆が開いた状態では、平行リンク機構を構成している上部内側リンク及び上部外側リンクの結合部と、上部内側リンク及び下部内側リンクの結合部とがそれぞれ位置決めされているので、その状態で、開き量調整手段が、平行リンク機構を変形させると、下部外側リンクが平行移動することになる。これに伴って、下部外側リンクに取り付けられている開閉杆も平行移動するので、開状態における開閉杆の平行状態を保ったまま、その開き量を調整することができる。
【００１３】
従って、このフィルム開口整形ユニットでは、筒状フィルムの周長（折径）に応じて、マンドレルの開閉杆の開き量を変更しても、開閉杆が先開きの状態や先閉じの状態になることがなく、筒状フィルムが開閉杆から抜けにくくなったり、逆に、脱落しやすくなったりすることがないので、その後の工程を円滑かつ確実に遂行することができる。
【００１４】
また、請求項２に係る発明では、開き量調整手段は、開閉杆が開状態のときの平行リンク機構を無段階に変形させることができるようになっているので、マンドレルの開閉杆の開き量を無段階に変更することができ、ある程度の範囲内であれば、どのような周長（折径）の筒状フィルムにも精度よく対応することができる。
【００１５】
また、請求項３に係る発明では、開き量調整手段は、開閉杆が開状態のときだけ、平行リンク機構を変形させることができるようになっているので、開閉杆を閉じた状態では、開閉杆の開き量に拘わらず、同じ状態（開閉杆が最も閉じた状態）になるので、予備的に開口した筒状フィルムに開閉杆を挿入し易いといった利点がある。
【００１６】
また、請求項１に係る発明のフィルム開口整形ユニットでは、開閉手段が、カムフォロアが取り付けられている上部内側リンク及び下部内側リンクの結合部の位置を開閉杆の開閉方向に移動させることによって、平行リンク機構を変形させることで、開閉杆を開閉させると共に、開き量調整手段が、開状態における平行リンク機構を変形させることで、開閉杆の最大開き量を調整するようになっているが、請求項４に係る発明のフィルム開口整形ユニットでは、開閉手段が、上部内側リンク及び下部内側リンクの結合部を位置決めした状態で、平行リンク機構を変形させることによって、開閉杆を開閉させるようになっているので、閉状態から開状態に至る全ストロークにわたって、開閉杆が平行状態に保持されると共に、開閉杆の開閉ストロークを調整することで、開閉杆の最大開き量を調整することができる。従って、請求項１に係る発明のように、開閉手段の他に開き量調整手段を別途設ける必要がなく、両者を兼用することができるという効果が得られる。
【図面の簡単な説明】
【００１７】
【図１】この発明に係るフィルム開口整形ユニットの一実施形態である開口整形ユニットが搭載されたラベル被嵌装置を備えたラベル被嵌システムを示す概略構成図である。
【図２】同上のラベル被嵌装置を示す概略構成図である。
【図３】同上の開口整形ユニットを構成している支持部材及びマンドレルを示す縦断面図である。
【図４】同上の支持部材からマンドレルを取り外した状態を示す縦断面図である。
【図５】図４のＸ−Ｘ線に沿った横断面図である。
【図６】図４のＹ−Ｙ線に沿った横断面図である。
【図７】（ａ）、（ｂ）は同上のマンドレルの開閉杆の最大開き量を変化させた状態を示す縦断面図である。
【図８】図７（ａ）、（ｂ）に示す状態から、開閉杆をそれぞれ閉じた状態を示す縦断面図である。
【図９】（ａ）は他の実施形態である開口整形ユニットにおける開閉杆の開閉状態を示す縦断面図、（ｂ）は同上の開口整形ユニットにおける開閉杆の最大開き量を変化させた時の開閉杆の開閉状態を示す縦断面図である。
【図１０】他の実施形態である開口整形ユニットにおける開閉杆の開閉状態を示す縦断面図である。
【図１１】（ａ）、（ｃ）、（ｅ）は従来のラベル開口整形ユニットにおけるマンドレルの取付け高さを変えた状態を示す断面図、（ｂ）、（ｄ）、（ｆ）は（ａ）、（ｃ）、（ｅ）における開閉杆の先端部の状態を示す図である。
【発明を実施するための形態】
【００１８】
以下、実施の形態について図面を参照して説明する。図１は、ＰＥＴボトル（以下、ボトルという。）Ｂにポリエステル系樹脂、ポリスチレン系樹脂等からなる熱収縮性フィルムによって形成された筒状のシュリンクラベル（以下、ラベルという。）Ｌを被嵌するためのラベル被嵌システム１を示しており、このラベル被嵌システム１は、ベルトコンベア７、スターホイール２ａ、スクリューコンベア２ｂ及びスターホイール２ｃからなるボトル供給装置２と、基材繰出部３ａによって基材ロールから繰り出された長尺のラベル形成基材Ｍを順次切断しながらラベルＬを形成し、そのラベルＬを第１のラベル受渡位置αに順次供給するラベル供給装置３と、このラベル供給装置３によって第１のラベル受渡位置αに供給されたラベルＬを受け取って第２のラベル受渡位置βに搬送するラベル受渡装置４と、ボトル供給位置γにおいて前記ボトル供給装置２から供給されたボトルＢを受け取り、ボトル送出位置δまで搬送すると共に、前記ラベル受渡装置４によって搬送されてきたラベルＬを第２のラベル受渡位置βにおいて受け取り、ボトルＢをボトル供給位置γからボトル送出位置δまで搬送する間に、ラベルＬをボトルＢに被嵌するロータリ型のラベル被嵌装置５と、このラベル被嵌装置５によってラベルＬが被嵌されたボトルＢを搬出する、スターホイール６ａ及びベルトコンベア７からなるボトル搬送装置６とから構成されている。
【００１９】
なお、前記ラベル形成基材Ｍは、ボトルＢに装着する筒状のラベルＬが連続的に繋がったものであり、前記基材繰出部３ａにおいてはシート状に折り畳んだ状態でドラムに巻回されている。また、基材繰出部３ａから繰り出されたシート状のラベル形成基材Ｍは、ボトルＢにラベルＬを装着する際に再び筒状に開きやすくするために、その供給途中において折り変えることで折り畳み位置を変化させるようにしている（図１参照）。
【００２０】
前記ラベル受渡装置４は、図１及び図２に示すように、第１のラベル受渡位置αと第２のラベル受渡位置βとを通るように一定の回転速度で回転する複数本のテイクアップ部材４ａを備えており、シート状に折り畳まれた状態で第１のラベル受渡位置αに供給されるラベルＬを、テイクアップ部材４ａが吸引保持することによって受け取って、第２のラベル受渡位置βまで搬送するようになっている。
【００２１】
前記ラベル被嵌装置５は、図１及び図２に示すように、回転軸（図示せず）に取り付けられた複数の支持円盤１１、１２、１３を介して、回転軸を中心とした同心円上に一定間隔で取り付けられた多数のラベル被嵌ヘッド１０を備えており、各ラベル被嵌ヘッド１０によって、第２のラベル受渡位置βにおいて受け取ったシート状に折り畳まれた筒状のラベルＬがボトルＢの外径より大きく拡開され、この拡開されたラベルＬが、ボトル供給位置γにおいて受け取ったボトルＢがボトル送出位置δまで搬送される途中で、ボトルＢの胴部に被嵌されるようになっている。
【００２２】
前記ラベル被嵌ヘッド１０は、ボトル供給位置γにおいて受け取ったボトルＢをボトル保持台２１に載置した状態に保持するボトル保持手段２０と、第２のラベル受渡位置βにおいて受け取ったシート状に折り畳まれたラベルＬを、筒状に開口するラベルオープナー３０と、このラベルオープナー３０によって開口された筒状のラベルＬを、ボトルＢの胴部に被嵌し易い所定の開口形状に整形する開口整形ユニット４０と、この開口整形手段４０によって所定の開口形状に整形されたラベルＬをボトル保持台２１に載置されたボトルＢに被嵌するラベル被嵌ユニット６０とから構成されており、第２のラベル受渡位置βにおいて受け取ったシート状に折り畳まれた状態のラベルＬがラベルオープナー３０によって筒状に開口された後、開口整形ユニット４０によって所定の開口形状に整形され、ボトル供給位置γにおいて受け取ったボトルＢがボトル保持台２１に保持された状態でボトル送出位置δまで搬送される途中で、所定の開口形状に整形されたラベルＬが、ラベル被嵌ユニット６０によって、ボトルＢの胴部に被嵌されるようになっている。
【００２３】
前記ラベルオープナー３０は、図２に示すように、先端に把持部が取り付けられた開閉可能な一対の揺動アーム３１と、把持面に形成された吸引口から吸引することで、シート状に折り畳まれた状態のラベルＬの両面をそれぞれ把持部に吸引保持させる図示しない吸引手段と、一対の揺動アーム３１を開閉させる開閉駆動手段３２とから構成されており、ラベル受渡装置４のテイクアップ部材４ａに片面が吸引保持された状態で搬送されてきたシート状に折り畳まれたラベルＬを、第２のラベル受渡位置βにおいて、一対の揺動アーム３１の把持部が把持することによって受け取った後、ラベルＬの両面を把持部にそれぞれ吸引保持した状態で、その揺動アーム３１を開いてラベルＬの両面を相互に離間させることにより、ラベルＬを筒状に開口するようになっている。
【００２４】
前記開口整形ユニット４０は、図２〜図４に示すように、支持アーム１３に昇降可能に支持された円筒状の支持部材４１と、この支持部材４１の下端部に取り付けられたマンドレル４３と、支持部材４１を昇降させるためのカム機構５０とから構成されており、支持部材４１が降下することにより、ラベルオープナー３０によって開口されたラベルＬにマンドレル４３が挿入されるようになっている。
【００２５】
前記支持部材４１は、その下端部に径方向外側に張り出す、マンドレル４３を取り付けるための取付部４２を有しており、この取付部４２には、その下部外周面に雄ねじ部４２ａが形成されている。
【００２６】
前記支持部材４１を昇降させるカム機構５０は、図２に示すように、ラベル被嵌ヘッド１０の上部を取り囲む円筒体１４に形成されたカム溝５１と、このカム溝５１に嵌り込む、支持部材４１の上端部に支持されたローラ５２とから構成されており、ラベル被嵌ヘッド１０が回転軸を中心に回転することによって、ローラ５２がカム溝５１に沿って昇降しながら移動し、これに伴って、ローラ５２が支持されている支持部材４１が昇降するようになっている。
【００２７】
前記マンドレル４３は、図３〜図６に示すように、支持部材４１の下端部に取り付けられる環状のベース部材４４と、ラベルオープナー３０によって開口されたラベルＬに挿入される４本の開閉杆４５と、この４本の開閉杆４５を開閉可能に支持する、ベース部材４４に取り付けられた開閉機構部４６と、この開閉機構部４６に支持された開閉杆４５を閉方向に付勢する付勢手段４７と、開閉機構部４６に支持された４本の開閉杆４５を開閉させる開閉手段４８と、この開閉手段４８による開閉杆４５の最大開き量を調整する開き量調整手段４９とを備えており、ベース部材４４の上部内周面に形成された雌ねじ部４４ａを支持部材４１の取付部４２に形成された雄ねじ部４２ａにねじ込むことで、マンドレル４３が支持部材４１に取り付けられる。
【００２８】
前記開閉機構部４６は、図４〜図５に示すように、９０度の角度でベース部材４４の径方向に放射状に配置された４つの平行リンク機構によって構成されており、それぞれの平行リンク機構は、上端部同士が相互にピン結合された状態でベース部材４４に支持された上部内側リンク４６ａ及び上部外側リンク４６ｂと、下端部同士が相互にピン結合された状態で、上端部が前記上部内側リンクの下端部にピン結合された下部内側リンク４６ｃ及び上端部が前記上部外側リンクの下端部にピン結合された下部外側リンク４６ｄとを有し、ベース部材４４の中心側に位置している上部内側リンク４６ａ及び下部内側リンク４６ｃの結合部にはカムフォロア４６ｅが取り付けられている。
【００２９】
各平行リンク機構を構成している上部外側リンク４６ｂには、その上端部からベース部材４４の内側に張り出す、先端部が二又に形成されたレバー４６ｆが連設されており、このレバー４６ｆの先端部には、その二又部の間にベアリング４６ｇが挟み込まれた状態で、そのベアリング４６ｇの内輪がその二又部に軸支されている。
【００３０】
また、各平行リンク機構を構成している上部内側リンク４６ａは、その上端部からベース部材４４の外側に張り出すレバー４６ｈが連設されており、このレバー４６ｈを押し下げることによって、上部内側リンク４６ａ及び下部内側リンク４６ｃの結合部に取り付けられているカムフォロア４６ｅがベース部材４４の中心側に移動するようになっている。
【００３１】
また、各平行リンク機構を構成している下部外側リンク４６ｄは、その下端部から下方側に張り出す取付部４６ｉが連設されており、この取付部４６ｉに開閉杆４５の上端部が取り付けられている。
【００３２】
前記付勢手段４７は、図４に示すように、各上部内側リンク４６ａの上端部に連設されたレバー４６ｈを押し下げる方向に付勢する、ベース部材４４の下面における各レバー４６ｈに対応する位置に形成された４つの穴にそれぞれ収容された４つのコイルバネ４７ａと、図６に示すように、各上部外側リンク４６ｂをベース部材４４の中心側に付勢するように、隣り合う上部外側リンク４６ｂに連結された４つのコイルバネ４７ｂとから構成されており、これらのコイルバネ４７ａ、４７ｂの付勢力によって、上部内側リンク４６ａ及び下部内側リンク４６ｃの結合部に取り付けられているカムフォロア４６ｅがベース部材４４の中心側に付勢されると共に各平行リンク機構が閉じる方向に付勢され、最終的に開閉杆４５が閉方向に付勢されるようになっている。
【００３３】
前記開閉手段４８は、円筒状の支持部材４１に挿通された状態でベース部材４４の中心部を昇降可能に貫通し、下端部の外周面に開閉機構部４６のカムフォロア４６ｅが当接する外径の異なるカム面が形成された操作軸４８ａと、支持部材４１の上端に取り付けられた、操作軸４８ａを昇降させる駆動シリンダ４８ｂとを備えており、図７（ａ）、（ｂ）に示すように、操作軸４８ａが降下すると、カム面を形成している操作軸４８ａの大径部ｃｂがカムフォロア４６ｅを外側に押圧することで、開閉杆４５が開き、図８（ａ）、（ｂ）に示すように、操作軸４８ａが上昇すると、開閉杆４５を常時閉方向に付勢しているコイルバネ４７ａ、４７ｂの付勢力によって、カム面を形成している操作軸４８ａの小径部ｃｓにカムフォロア４６ｅが押し付けられると共に各平行リンク機構が閉じることで、開閉杆４５が閉じるようになっている。
【００３４】
４本の前記開閉杆４５は、図７（ａ）、（ｂ）に示すように、開状態、即ち、操作軸４８ａの大径部にカムフォロア４６ｅが当接している状態で、相互に平行状態となるように、下部外側リンク４６ｄに対する取付部４６ｉの張出し角度が設定されており、操作軸４８ａの大径部にカムフォロア４６ｅが当接している状態で、平行リンク機構を変形させても、４本の開閉杆４５の平行状態が維持されるようになっている。
【００３５】
開き量調整手段４９は、図７（ａ）、（ｂ）に示すように、操作軸４８ａにおけるカム面の上方側に連設された径方向外側に張り出す鍔部４９ａによって、各上部外側リンク４６ｂのレバー４６ｆの先端部に取り付けられたベアリング４６ｇを下方側に押圧して開状態における平行リンク機構を変形させることで、開閉杆４５の最大開き量を調整するようになっており、マンドレル４３を構成しているベース部材４４の取付部４２に対するねじ込み量を変えて、支持部材４１に対するマンドレル４３の取付高さを変更することによって、操作軸４８ａが降下して、カム面を形成している操作軸４８ａの大径部ｃｂがカムフォロア４６ｅを外側に押圧した時、即ち、開閉杆４５が開いた時の鍔部４９ａによるベアリング４６ｇの押し下げ量を調整することで、平行リンク機構の変形量を調整するようになっている。なお、図７（ｂ）は、同図（ａ）に示す状態に対して、支持部材４１に対するマンドレル４３の取付高さをΔＨだけ低くした状態を示しており、支持部材４１に対するマンドレル４３の取付高さを高くすると、開閉杆４５の最大開き量が大きくなり、支持部材４１に対するマンドレル４３の取付高さを低くすると、開閉杆４５の最大開き量が小さくなる。
【００３６】
また、図８（ａ）、（ｂ）に示すように、開閉杆４５が閉じた状態、即ち、操作軸４８ａが上昇して、カム面を形成している操作軸４８ａの小径部ｃｓにカムフォロア４６ｅが当接している状態では、平行リンク機構のカムフォロア４６ｅがベース部材４４の径方向内側に移動するので、４本の開閉杆４５が平行状態を維持できなくなって、先閉じの状態になると共に、鍔部４９ａがベアリング４６ｇから離反するので、開閉杆４５の最大開き量が異なっている場合であっても、平行リンク機構が同一形状となり、開閉杆４５が最も閉じた状態となる。
【００３７】
前記ラベル被嵌手段６０は、図２に示すように、支持円盤１３に昇降可能に支持された支持棒６１と、この支持棒６１の下端部に着脱自在に取り付けられたキャリアプレート６２と、支持棒６１を昇降させるためのカム機構６３とから構成されており、キャリアプレート６２には、４本の開閉杆４５全体を挿通するための穴が形成されている。
【００３８】
前記カム機構６３は、ラベル被嵌ヘッド１０を取り囲む前記円筒体１４に形成された第２のカム溝６４と、このカム溝６４に嵌り込む、支持棒６１の中間部に支持されたローラ６５とから構成されており、ラベル被嵌ヘッド１０が回転軸を中心に回転することによって、ローラ６５が第２のカム溝６４に沿って昇降しながら移動し、これに伴って、ローラ６５が支持されている支持棒６１が昇降するようになっている。
【００３９】
従って、開口整形ユニット４０の開閉杆４５によって、ラベルＬがボトルＢの胴部に被嵌し易い所定の開口形状に整形された後、キャリアプレート６２が開閉杆４５に沿って降下すると、キャリアプレート６２によってラベルＬが下方側に押し下げられ、その直下に位置しているボトルＢの胴部にラベルＬが被嵌される。
【００４０】
なお、ローラ５２及びローラ６５は、図２に示すように、取付部材５３及び取付部材６６を介して、支持部材４１及び支持棒６１にそれぞれ支持されているが、取付部材５３は支持棒５１に、取付部材６６は支持部材４１にそれぞれ摺動自在に支持されており、長尺の支持部材４１及び支持棒６１が相互に支持し合うことにより双方の支持安定性を高めている。
【００４１】
以上のように、このラベル被嵌システム１に採用されているラベル被嵌装置５では、ラベルＬの周長（折径）に応じて、マンドレル４３の取付高さを変えて、開閉杆４５の最大開き量を調整することで、マンドレル４３自体を交換しなくてもラベルＬを適正な開口形状に整形することができるので、ラベルを装着しようとするボトルが、これまでとは形状やサイズが異なるものに変更され、それに伴って、ラベルの周長（折径）が変化した場合であっても、ラベルＬの周長（折径）がある程度の範囲内であれば、マンドレル４３自体を交換する必要がなく、ラベルの周長（折径）が変化した場合は、マンドレルを交換しなければならなかった従来のラベル被嵌装置に比べて、段取り替えに要する時間、労力及びコストを削減することができる。特に、このラベル被嵌システム１のように、それぞれにマンドレル４３が取り付けられた、多数のラベル被嵌ヘッド１０が搭載されているロータリ型のラベル被嵌装置５を採用する場合に有効である。
【００４２】
特に、このラベル被嵌装置５に搭載されている開口整形ユニット４０は、開状態における開閉杆４５の平行状態を保ったまま、その開き量を調整することができるので、ラベルＬの周長（折径）に応じて、マンドレル４３の開閉杆４５の開き量を変更しても、開閉杆４５が先開きの状態や先閉じの状態になることがなく、ラベルＬが開閉杆４５から抜けにくくなったり、逆に、脱落しやすくなったりすることがないので、その後のラベルＬのボトルＢへの被嵌作業を円滑かつ確実に遂行することができる。
【００４３】
また、この開口整形ユニット４０は、開き量調整手段４９は、マンドレル４３を構成しているベース部材４４の取付部４２に対するねじ込み量を変えることで、開閉杆４５が開状態のときの平行リンク機構を無段階に変形させることができるようになっているので、マンドレル４３の開閉杆４５の開き量を無段階に変更することができ、ある程度の範囲内であれば、どのような周長（折径）のラベルＬにも精度よく対応することができる。
【００４４】
また、開き量調整手段４９は、開閉杆４５が開状態のときだけ、平行リンク機構を変形させることができるようになっているので、開閉杆４５の最大開き量が異なっている場合であっても、開閉杆４５を閉じた状態では、開閉杆４５の最大開き量に拘わらず、開閉杆４５が最も閉じた状態となり、ラベルオープナー３０によって予備的に開口したラベルＬに開閉杆４５を挿入し易いといった利点がある。
【００４５】
なお、上述した実施形態では、マンドレル４３を構成しているベース部材４４の取付部４２に対するねじ込み量を変えて、支持部材４１に対するマンドレル４３の取付高さを変更することによって、開閉杆４５の最大開き量を調整するようにしているが、これに限定されるものではない。例えば、開閉杆４５を開閉させる操作軸４８ａを駆動シリンダ４８ｂによって昇降させるのではなく、支持部材４１を昇降させるカム機構５０と同様のカム機構によって操作軸４８ａを昇降させる場合は、即ち、図９（ａ）、（ｂ）に示すように、ラベル被嵌ヘッド１０の上部を取り囲む円筒体１５に形成されたカム溝４８ｃと、このカム溝４８ｃに嵌り込む、操作軸４８ａの上端部に支持されたローラ４８ｄとから構成されるカム機構によって操作軸４８ａを昇降させる場合は、同図（ａ）、（ｂ）に示すように、カム溝４８ｃが形成された円筒体１５を全体的に昇降させることで、開閉杆４５の最大開き量を調整するようにしてもよく、このようにすると、多数のラベル被嵌ヘッド１０に搭載された開口整形ユニット４０に対して、それらの開閉杆４５の最大開き量を同時に調整することができるという利点があり、自動型替えも可能になる。
【００４６】
また、その他の態様としては、操作軸４８ａに対して鍔部４９ａを高さ方向に位置変更可能に取り付け、操作軸４８ａに対する鍔部４９ａの取付位置を変更することで、開閉杆４５の最大開き量を調整するようにしてもよい。
【００４７】
また、上述した実施形態では、マンドレル４３を構成しているベース部材４４の取付部４２に対するねじ込み量を変えることで、マンドレル４３の開閉杆４５の開き量を無段階に調整することができるようになっているが、これに限定されるものではなく、支持部材４１に対するマンドレル４３の取付高さを段階的に変更することによって、開閉杆４５の開き量を段階的に調整するものであってもよい。
【００４８】
また、上述した各実施形態では、開閉手段４８によって開閉杆４５を開閉させると共に、開き量調整手段４９によって開いたときの開閉杆４５の最大開き量を調整するようにしているが、これに限定されるものではなく、開き量調整手段４９を開閉手段としても使用することができる。例えば、図１０（ａ）、（ｂ）に示す開閉手段４８Ａのように、開閉手段４８の操作軸４８ａの下端部に設けられた、カムフォロア４６ｅが当接するカム面を形成している大径部ｃｂ及び小径部ｃｓに代えて、開閉機構部４６のカムフォロア４６ｅを当接させることによって、カムフォロア４６ｅをベース部材４４の径方向に常時位置決めする同一径の位置決め部ｐｄを設けると共に、この位置決め部ｐｄにカムフォロア４６ｅが当接している状態で、４本の開閉杆４５が相互に平行状態となるように、下部外側リンク４６ｄに対する取付部４６ｉの張出し角度を設定し、操作軸４８ａを昇降させて鍔部４９ａによるベアリング４６ｇの押し下げ量を変えることによって開閉杆４５を開閉させると共に、その開閉ストロークを調整することによって開閉杆４５の最大開き量を調整するようにしてもよい。
【００４９】
このような構成を採用すると、開閉杆４５の閉状態から開状態に至る全ストロークにわたって、開閉杆４５が平行状態に保持されると共に、開閉手段４８Ａの他に開き量調整手段を別途設ける必要がなく、両者を兼用することができるという効果が得られる。
【００５０】
また、この実施形態では、開閉機構部４６のカムフォロア４６ｅを、操作軸４８ａの下端部に設けられた位置決め部ｐｄに当接させることによって、カムフォロア４６ｅをベース部材４４の径方向に位置決めしているが、これに限定されるものではなく、各平行リンク機構における上部内側リンク４６ａ及び下部内側リンク４６ｃの結合部をリング状の連結部材によって連結することで、位置決めすることも可能である。
【００５１】
また、上述した各実施形態では、マンドレル４３に４本の開閉杆４５を設けているが、これに限定されるものではなく、４本以上の開閉杆を設けることも可能であり、その場合は、ベース部材４４の径方向に放射状に配置された平行リンク機構をベース部材４４の周方向に均等に配置することが望ましい。
【産業上の利用可能性】
【００５２】
本発明は、ボトル等の被嵌体にシュリンクラベル等の筒状フィルムを被嵌する前に、被嵌体の形状に合わせた開口形状に整形する。
【符号の説明】
【００５３】
１  ラベル被嵌システム
５  ラベル被嵌装置
１０  ラベル被嵌ヘッド
１４、１５  円筒体
２０  ボトル保持手段
３０  ラベルオープナー
４０  開口整形ユニット（フィルム開口整形ユニット）
４１  支持部材
４２  取付部
４２ａ  雄ねじ部
４３  マンドレル
４４  ベース部材
４４ａ  雌ねじ部
４５  開閉杆
４６  開閉駆動機構
４６ａ  上部内側リンク
４６ｂ  上部外側リンク
４６ｃ  下部内側リンク
４６ｄ  下部外側リンク
４６ｅ  カムフォロア
４６ｆ  レバー
４６ｇ  ベアリング
４６ｈ  レバー
４６ｉ  取付部
４７  付勢手段
４７ａ、４７ｂ  コイルバネ
４８，４８Ａ  開閉手段
４８ａ  操作軸
４８ｂ  駆動シリンダ
４８ｃ  カム溝
４８ｄ  ローラ
４９  開き量調整手段
４９ａ  鍔部
ｃｂ  大径部
ｃｓ  小径部
ｐｄ  位置決め部
５０  カム機構
５１  カム溝
５２  ローラ
５３  取付部材
６０  ラベル被嵌手段
Ｌ  シュリンクラベル（筒状フィルム）
Ｂ  ＰＥＴボトル（被嵌体）
【図１】
2011006110.tif 000003
【図２】
2011006110.tif 000004
【図３】
2011006110.tif 000005
【図４】
2011006110.tif 000006
【図５】
2011006110.tif 000007
【図６】
2011006110.tif 000008
【図７】
2011006110.tif 000009
【図８】
2011006110.tif 000010
【図９】
2011006110.tif 000011
【図１０】
2011006110.tif 000012
【図１１】
2011006110.tif 000013